(57)【要約】【課題】組み立てが簡単なパネル取付構造を提供する。【解決手段】胴本体２にその下端から上方に向かって逆Ｕ字形に切り欠くことにより開口部７ａを形成し、パネル５の上部に横方向に延びる横溝１６を設け、パネル５の左右の縁部の内面に縦リブ１７を設けるとともに該縦リブ１７より外側に向かって突片１８を設けて縦リブ１７と突片１８との間に係合部１９を形成する。胴本体２の開口部７ａの左右の縁にパネル５の係合部１９を係合してパネル５を上方にスライドさせ、パネル５の横溝１６を開口部７ａの上方の縁に係合し、胴本体２の下端に底体３を係合して、パネル５を胴本体２の開口部７ａの上方の縁と底体３との間に挟持する。【選択図】図７
2007307117.tif 000002
【特許請求の範囲】
【請求項１】
胴本体と底体とからなる電気製品の前記胴本体にパネルを取り付けるパネル取付構造において、
前記胴本体にその下端から上方に向かって逆Ｕ字形に切り欠くことにより開口部を形成し、
前記パネルの上部に横方向に延びる係合部を設け、
前記パネルの左右の縁部の内面に縦リブを設けるとともに該縦リブより外側に向かって突片を設けて前記縦リブと突片との間に縦溝を形成し、
前記胴本体の開口部の左右の縁に前記パネルの縦溝を係合して前記パネルを上方にスライドさせ、
前記パネルの係合部を前記開口部の上方の縁に係合し、
前記胴本体の下端に底体を係合して、
前記パネルを前記胴本体の開口部の上方の縁と底体との間に挟持したことを特徴とするパネル取付構造。
【請求項２】
前記パネルの突片を前記パネルの縦方向の３箇所に形成したことを特徴とする請求項１に記載のパネル取付構造。
【発明の詳細な説明】
【技術分野】
【０００１】
本発明はトースター等の家庭用の各種電気製品のパネル取付構造に関する。
【背景技術】
【０００２】
従来、例えばトースターのパネル取付構造として、特許文献１には、パネルの左右縁及び上縁の内面に鍔を設けて該鍔に複数のスリットを形成し、該スリットを胴本体の開口縁に形成した複数の突起に係合した後、底体を胴本体に取り付ける際に、パネル下端に設けたねじ孔を利用してパネルを底体にねじ止めする構造が記載されている。
【特許文献１】特開２００５−３２３９０９号公報
【発明の開示】
【発明が解決しようとする課題】
【０００３】
しかし、前記従来のパネル取付構造では、複数のスリットと突起の係合が煩雑であり、またねじ止めに時間がかかり、組立性が悪いという問題があった。
【０００４】
本発明は前記問題点に鑑みてなされたもので、組み立てが簡単なパネル取付構造を提供することを課題とする。
【課題を解決するための手段】
【０００５】
前記課題を解決するための手段として、本発明は、
胴本体と底体とからなる電気製品の前記胴本体にパネルを取り付けるパネル取付構造において、
前記胴本体にその下端から上方に向かって逆Ｕ字形に切り欠くことにより開口部を形成し、
前記パネルの上部に横方向に延びる係合部を設け、
前記パネルの左右の縁部の内面に縦リブを設けるとともに該縦リブより外側に向かって突片を設けて前記縦リブと突片との間に縦溝を形成し、
前記胴本体の開口部の左右の縁に前記パネルの縦溝を係合して前記パネルを上方にスライドさせ、
前記パネルの係合部を前記開口部の上方の縁に係合し、
前記胴本体の下端に底体を係合して、
前記パネルを前記胴本体の開口部の上方の縁と底体との間に挟持したものである。
【０００６】
前記パネルの突片を前記パネルの縦方向の３箇所に形成することが好ましい。
【発明の効果】
【０００７】
本発明によれば、胴本体の開口部の左右の縁にパネルの縦溝を係合してパネルを上方にスライドさせ、胴本体の下端に底体を係合するだけで、パネルが胴本体の開口部の上方の縁と底体との間に挟持されて取り付けられるので、組み立てが簡単で迅速に行えるという効果を有する。
【発明を実施するための最良の形態】
【０００８】
以下、本発明の実施の形態を添付図面に従って説明する。
【０００９】
図１〜４は本発明に係るパネル取付構造を適用したトースター１の全体斜視図、平面図、正面図、背面図を示す。このトースター１は、胴本体２、底体３、天板４、パネル５及び背板６とからなっている。
【００１０】
胴本体２は、略楕円の筒形で、正面と背面には下端から逆Ｕ字形に切り欠くことで開口部７ａ，７ｂが形成されている。胴本体２の内部には、図示しないヒータを備えた２つの焼成室が形成されている。底体３は、アルミ又はアルミ合金からなる皿形で、胴本体２の下端に取り付けられている。底体３には、前記焼成室が固定されている。天板４は、胴本体２の上端に取り付けられ、パンの挿入口となるスロット８が２つ形成されている。
【００１１】
パネル５は、前記胴本体２の正面の開口部７ａに取り付けられ、開口部７ａの上縁と底体３の間に挟持されている。パネル５には、中央に上下方向に延びるスリット９が形成され、該スリット９からパンの昇降レバー１０が突出している。スリット９の右側には、１枚／２枚選択、冷凍、取消の各種モードスイッチ１１ａ，１１ｂ，１１ｃと、それらが選択されたことを示す表示ランプ１２ａ，１２ｂ，１２ｃが取り付けられている。パネル５の下端には切欠き１３が形成され、該切欠き１３から焼き色調節ダイヤル１４が突出し、トースター１が載置される床面に対し水平に回転操作可能に取り付けられている。パネル５の上端には、外方に突出する把手１５が形成されている。背板６は、パネル５におけるスリット９、昇降レバー１０、各種スイッチ１１ａ，１１ｂ，１１ｃ、ランプ１２ａ，１２ｂ，１２ｃ及び切欠き１３が無い以外は、前記パネル５と同一の形状を有し、前記パネルと同様に取り付けられている。
【００１２】
図５は、パネル５の内側から見た斜視図を示す。パネル５の上端の把手１５の上面には横方向に延びる本発明の係合部である横溝１６が形成されている。また、パネル５の左右の縁部の内面に縦リブ１７が形成され、該縦リブ１７より外側に向かって上段、中断、下段の３箇所に突片１８が形成され、これにより、図６に示すように、前記縦リブ１７と突片１８との間に縦溝１９が形成されている。
【００１３】
次に、前記構成からなるパネル取付構造を備えたパネル５の取付手順及びその作用を説明する。
【００１４】
前記パネル５を取り付けるには、まず、胴本体２の開口部７ａの左右の縁の下端にパネル５の縦溝１９の上端を係合してパネル５を上方にスライドさせる。これにより、胴本体２の開口部７ａの左右の縁とパネル５の縦溝１９が係合し、銅本体２の開口部７ａの上方の縁とパネル５の横溝１６が係合する。次に、胴本体２の下端を底体３に係合し、パネル５の下端を底体３の上端を当接させた状態で、底体３のボス２０の穴に挿通した図示しないねじを胴本体２に設けたラグ２１にねじ込むことで底体３を固定する。これにより、パネル５は、胴本体２の開口部７ａの上方の縁と底体３との間に挟持される。
【００１５】
このように、パネル５は、胴本体２の開口部７ａの左右の縁にパネル５の縦溝１９を係合してパネル５を上方にスライドさせ、胴本体３の下端に底体３を係合するだけであり、従来のような複数の突起１８とスリット９の係合やビス止めを行うことなく取り付けられるので、組み立てが簡単で迅速に行える。
【００１６】
前記実施形態では、パネル５の突片１８は上段、中断、下段の３箇所に形成したが、３箇所に限らず、中段に１箇所だけ形成したり、上段と下段の２箇所に形成したり、４箇所以上に形成してもよい。また、突片１８は複数設けずに、縦リブ１７と同じ長さの突片１８を１つ形成してもよい。ただ、複数の突片１８に分割した方が、パネル５をスライドさせるときの抵抗が減少するので、取り付けが容易に行える。
【００１７】
また、パネル５の上部に設けた横溝１６は、部分的であってもよいし、また前記縦溝１９と同様に、突片を設けることにより構成してもよい。さらにまた、横溝１６に代えて、把手１５側が高くなった段部とし、この段部がパネル５の胴本体２への装着完了時に開口部７ａの上縁と係合するようにしてもよい。
【図面の簡単な説明】
【００１８】
【図１】本発明のダイヤルクリック構造を適用したトースターの全体斜視図。
【図２】図１のトースターの平面図。
【図３】図１のトースターの正面図。
【図４】図１のトースターの背面図。
【図５】パネルの内面から見た斜視図。
【図６】パネルの側面図。
【図７】パネルの取付手順を示す分解正面図。
【図８】パネルの取付状況を示す胴本体の内側から見た斜視図。
【符号の説明】
【００１９】
２  胴本体
３  底体
５  パネル
７ａ  開口部
１６  横溝（係合部）
１７  縦リブ
１８  突片
１９  縦溝
【図１】
2007307117.tif 000003
【図２】
2007307117.tif 000004
【図３】
2007307117.tif 000005
【図４】
2007307117.tif 000006
【図５】
2007307117.tif 000007
【図６】
2007307117.tif 000008
【図７】
2007307117.tif 000009
【図８】
2007307117.tif 000010